(57)【特許請求の範囲】
【請求項１】
ゴルフクラブヘッドであって、
上記ゴルフクラブヘッドの前方部分に位置づけられる打撃フェースと、
上記打撃フェースの後方部分に取り付けられ、さらに、クラウン部分およびソール部分を有する本体部分とを有し、
少なくとも上記クラウン部分は、ベース層および上記ベース層より密度が小さい軽量カバー層を有し、
上記ベース層は、その外側面に、上記軽量カバー層を収容する、凹部を有し、上記ベース層のエッジは上記本体部分の結合エッジと溶接線において結合され、
上記ベース層はさらに複数のカットアウトを有し、
上記軽量カバー層は１５％より大きく６０％までの内部露出パーセントを有し、
ただし、上記内部露出パーセントは、上記カットアウトを通じて露出した上記軽量カバー層の内部表面面積を、上記軽量カバー層の総合内部表面面積で除したものとして定義されることを特徴とするゴルフクラブヘッド。
【請求項２】
ゴルフクラブヘッドであって、
上記ゴルフクラブヘッドの前方部分に位置づけられる打撃フェースと、
上記打撃フェースの後方部分に取り付けられ、さらに、クラウン部分およびソール部分を有する本体部分とを有し、
少なくとも上記クラウン部分は、ベース層および上記ベース層より密度が小さい軽量カバー層を有し、
上記ベース層は、その外側面に、上記軽量カバー層を収容する、凹部を有し、上記ベース層のエッジは上記本体部分の結合エッジと溶接線において結合され、
上記ベース層はさらに複数のカットアウトを有し、
上記軽量カバー層は１５％より大きく６０％までの内部露出パーセントを有し、
ただし、上記内部露出パーセントは、上記カットアウトを通じて露出した上記軽量カバー層の内部表面面積を、上記軽量カバー層の総合内部表面面積で除したものとして定義され、
上記ベース層の最大厚さは０．５０ｍｍ未満であり、上記軽量カバー層の最大厚さは０．３０ｍｍ未満であることを特徴とするゴルフクラブヘッド。
【発明の詳細な説明】
【技術分野】
【０００１】
この発明は、ゴルフクラブヘッドの一部が多層軽量材料から製造された、改善されたゴルフクラブヘッドに関する。この軽量材料をゴルフクラブヘッドの種々の部分に使用することによって、より多くの裁量的な重量を形成でき、ゴルフクラブヘッドの重心および慣性モーメントを操作することにより、この裁量的な重量をゴルフクラブヘッドの性能の向上に用いることができる。
【背景技術】
【０００２】
この業界においては、ゴルフクラブヘッドの性能はゴルフクラブヘッドの重心（ＣＧ）の位置、および、慣性モーメント（ＭＯＩ）に多分に左右されることが一般的に了解されている。ゴルフクラブヘッドのＣＧおよびＭＯＩを調整するために、ゴルフクラブ設計者は、しばしば、ゴルフクラブヘッド内の特定の位置に戦略的に重量を配置して所望のＣＧおよびＭＯＩを実現する。先の設計目標のために、ゴルフクラブ設計者は、ゴルフクラブヘッドの種々の部分から不必要な重量を削減するという手法で一貫して努力を継続してその重量をより適切な部分に戦略的に配置してきた。このプロセスはゴルフクラブの設計に顕著に重要であり、ゴルフクラブ設計業界は、このタイプの重量節約を記述する特別な用語を用いており、これは「裁量的重量」と呼ばれる。
【０００３】
米国特許第６，１５２，８３３号（Ｗｅｒｎｅｒ等）は、空洞シェル構造によってその背面を支持された軽量低密度打撃フェースを形成することによってより多くの裁量的重量を形成する初期の試みの例の１つを説明する。
【０００４】
米国特許第６，８６０，８２４号（Ｅｖａｎｓ）は、より多くの裁量的重量を形成するゴルフクラブ設計上の試みの他の例を説明する。米国特許第６，８６０，８２４号では、ゴルフクラブヘッドが、好ましくは、軽量非金億材料から構成される本体部分を有して、ゴルフクラブヘッドの本体部分から重量を減少させるのを支援することが考えられている。
【０００５】
米国特許第５，６２４，３３１号（Ｌｏ等）は、クラウンに少なくとも２つの開口を有し、複合カバーがそこに配置される金属ケースを具備する複合金属ウッド型ゴルフクラブヘッドを形成することにより、裁量的な重量を増加させる他の例を説明する。
【０００６】
最後に、米国特許第７，３６１，１００号（Ｍｏｒａｌｅｓ等）は、ゴルフクラブの裁量的な重量を増加させるために現代の材料を使用する現代的な例を説明する。より具体的には、米国特許第７，３６１，１００号は、打撃フェースと実質的に平行な、弧状の後方エッジおよび前方エッジの開口部を具備するクラウンで形成されたゴルフクラブを開示し、ここでは、開口部内にリブによって形成された穴がカーボン繊維エポキシのような有機複合材料によって充填されている。
【０００７】
先に参照した先行技術のすべては、ゴルフクラブヘッドの種々の部分から不必要な重量を取り除くことができるけれども、グラファイト複合体のような軽量材料を利用することに関連する付随的な欠点に対処することに失敗していることに留意すべきである。軽量材料が金属材料をゴルフクラブヘッドの種々の部分で置き換わるとき、ゴルフクラブの音響およびフィーリングが顕著に劣化することがあり、好ましくないゴルフクラブの原因となる。したがって、上述からすると、現行の技術は軽量材料を使用することにより裁量的な重量を形成することができるけれども、ゴルフクラブの好ましくない音響およびフィーリングを最小化しつつそのようにすることについては成功していない。
【先行技術文献】
【特許文献】
【０００８】
【特許文献１】米国特許第６，１５２，８３３号明細書
【特許文献２】米国特許第６，８６０，８２４号明細書
【特許文献３】米国特許第５，６２４，３３１号明細書
【特許文献４】米国特許第７，３６１，１００号明細書
【発明の概要】
【０００９】
この発明の１側面は、当該ゴルフクラブヘッドの前方部分に位置づけられる打撃フェースと、上記打撃フェースの後方部分に取り付けられ、さらに、クラウン部分およびソール部分を有する本体部分とを有するゴルフクラブヘッドである。このゴルフクラブでは、上記クラウン部分および上記ソール部分の少なくとも一方は、ベース層および軽量カバー層を有し、上記ベース層はさらに複数のカットアウトを有し、上記軽量カバー層は約１５％より大きく約６０％までの内部露出パーセントを有する。
【００１０】
この発明の他の側面において、ゴルフクラブヘッドは、上記ゴルフクラブヘッドの前方部分に位置づけられる打撃フェースと、上記打撃フェースの後方部分に取り付けられ、さらに、クラウン部分およびソール部分を有する本体部分とを有する。このゴルフクラブヘッドにおいて、上記クラウン部分および上記ソール部分の少なくとも一方は、ベース層および軽量カバー層を有し、上記ベース層はさらに複数のカットアウトを有し、上記軽量カバー層は約１５％より大きく約６０％までの内部露出パーセントを有し、上記ベース層の最大厚さは約０．５０ｍｍ未満であり、上記軽量カバー層の最大厚さは約０．３０ｍｍ未満である。
【００１１】
この発明のこれらの、または、他の特徴、側面、利点は以下の、図面、明細書および特許請求の範囲を参照してより良好に理解されるであろう。
【００１２】
この発明の先の、または他の特徴および利点は添付図面において説明されるように以下のこの発明の説明から明らかであろう。添付図面は、ここに組み込まれ、明細書の一部を形成し、さらにこの発明の原理を記述し、当業者がこの発明を実施し、または利用できるようになす。
【図面の簡単な説明】
【００１３】
【図１】添付図面の図１は、この発明の好ましい事例的な実施例に従うゴルフクラブヘッドの斜視図を示す。
【図２】添付図面の図２は、図１に示すこの発明の実施例に従うゴルフクラブヘッドの分解斜視図を示す。
【図３】添付図面の図３は、図１に示すゴルフクラブヘッドの、当該ゴルフクラブヘッドの中央部を前方および後方の方向に示す、断面図である。
【図４】添付図面の図４は、図３において円形領域Ａで特定されるゴルフクラブヘッドの一部の拡大断面図である。
【図５】添付図面の図５は、この発明の代替的な実施例に従うゴルフクラブヘッドの斜視図を示す。
【図６】添付図面の図６は、図５に示すこの発明の代替的な実施例に従うゴルフクラブヘッドの分解斜視図を示す。
【図７】添付図面の図７は、この発明の他の代替的な実施例に従うゴルフクラブヘッドの斜視図を示す。
【図８】添付図面の図８は、図７に示すこの発明の他の代替的な実施例に従うゴルフクラブヘッドの分解斜視図を示す。
【図９】添付図面の図９は、この発明のさらに他の代替的な実施例に従うゴルフクラブヘッドの斜視図を示す。
【図１０】添付図面の図１０は、図９に示すこの発明のさらに他の代替的な実施例に従うゴルフクラブヘッドの分解斜視図を示す。
【発明を実施するための形態】
【００１４】
以下の詳細な説明は、この発明を実施する現行の最良形態を記述する。この説明は限定的な意味に解釈されるべきでなく、この発明の全般的な原理を説明する目的でのみなされており、この発明の範囲は添付の特許請求の範囲によりもっともよく定義されている。
【００１５】
種々の発明の特徴が以下に説明され、各特徴は他の独立に、または他と組み合わせて使用することができる。ただし、いずれの単一の発明の特徴も先に検討した問題のいずれも、またはそのすべてに対処しないかもしれず、また、先に検討した問題の１つに対処するだけかもしれない。さらに、先に検討した問題の１つまたは複数が、いかに説明される特徴のいずれによっても十分に対処されないかもしれない。
【００１６】
図１は、この発明の事例的な実施例に従うゴルフクラブヘッド１００の斜視図を示す。図１に示すゴルフクラブヘッド１００は、全般的には、ゴルフクラブヘッド１００の前方部分に取り付けられた打撃フェース１０２と、打撃フェース１０２の後方部分に取り付けられた本体部分とを具備して良い。本体部分は、全般的には、ゴルフクラブヘッド１００の頂部近くのクラウン部分１０４とゴルフクラブヘッド１００の底部の近くのソール部分１０６とからなって良い。最後に、また最も重要なことに、この発明の事例的な実施例に従うゴルフクラブヘッド１００のクラウン部分１０４は、異なる材料を具備する多数の層から構成されて良い。換言すれば、この発明の事例的な実施例に従うゴルフクラブヘッド１００は多材料クラウンを具備して良いということができる。
【００１７】
この発明の事例的な実施例に従うゴルフクラブヘッド１００の種々の部品をより明瞭に示すために、ここに図２が示される。図２は、ゴルフクラブヘッド２００の分解斜視図を示し、多材料クラウン部分２０４がさらにベース層２１０および軽量カバー層２１２から構成されて良いことを示す。
【００１８】
ベース層２１０は、全般的には、密度が約４．０ｇ／ｃｍ３および約４．７ｇ／ｃｍ３の間、より好ましくは、約４．１／ｃｍ３および約４．６／ｃｍ３の間、最も好ましくは、約４．０ｇ／ｃｍ３のチタン型の材料から構成されて良い。このチタンのベース層２１０は、ゴルフクラブヘッド２００のクラウン部分２０４の構造強度を実現するのを支援するだけでなく、全体領域に渡り複数のカットアウト２０８を組み込むことによって裁量的重量を生成するのにも貢献できる。この発明の事例的な実施例に示される複数のカットアウト２０８は、全般的には、ベース層２１０の構造上の一貫性をすべて維持しつつ最も多くの重量節約を実現するために、卵型または円形の形状をとって良い。ただし、卵型または円形の形状のカットアウト２０８が好ましいけれども多くの他のタイプのカットアウト２０８の幾何形状を採用して、この発明の範囲および内容から逸脱することなく、ベース層２１０から材料を除去することができる。
【００１９】
穴が材料から切り出されるとき、一般的には、材料の構造上の堅固さが悪影響をうけると理解される。このため、複数のカットアウト２０８に由来するクラウン部分２０４の構造上の堅固さの潜在的な劣化に対処するために、この発明は種々の技法の組合せを採用して良い。最初に、また、最上位に、この発明は、ベース層２１０用に高強度のチタン材料を利用することにより、逸失した構造上の堅固さの幾分かを取り戻すことを試みる。この発明の１つの好ましい実施例において、ＡＴＩ  ４２５チタン材料が採用されるけれども、多くの他の高強度材料、例えば、ＳＰ  ７００チタン、ＫＳ  １２０チタン、ＫＳ  １００チタン、チタン  ８−１−１を、これが増強された強度性能を実現する限り、この発明の範囲および内容から逸脱することなく、すべて採用して良い。ベース層２１０に高強度チタン材料を採用することに加えて、この発明は軽量カバー層２１２も採用する。
【００２０】
図２に示す、軽量カバー層２１２は全般的には、ベース層２１０、ソール２０６、および打撃フェース２０２の密度より低い密度の軽量材料であって良い。１つの事例的な実施例において、軽量材料の層２１０は、密度が約２．７ｇ／ｃｍ３のアルミニウム材料、密度が約１．７３８ｇ／ｃｍ３のマグネシウム材料、密度が約１．５０ｇ／ｃｍ３の複合型材料、または第１の材料の密度より小さな密度の任意の他の材料から構築されて良く、これはこの発明から逸脱しない。この発明の好ましい実施例において、軽量カバー層２１２を形成するために使用される材料は、全般的には、小さな繊維単位面積重量（ｆｉｂｅｒ  ａｒｅａｌ  ｍａｓｓ）を有する複合材料であって良い。ゴルフクラブヘッドにおける繊維面積単位重量が低い複合材料に関するより多くの情報は米国特許出願第１４／８３４，６５４号（Ｄｅｓｈｍｕｋｈ）に見出すことができ、その内容は参照してここに組み入れる。
【００２１】
ベース層２１０および軽量カバー層２１２を組み合わせることにより、ゴルフクラブヘッド２００は、最大量の裁量的重量を実現でき、これに際して、クラウン２０４の部分における構造上の堅固さを、ゴルフクラブ２００およびゴルフボールの間に加わる大きな衝撃に耐えるように維持することができる。クラウン２０４の部分から節約される裁量的重量の量は、つぎに、ゴルフクラブヘッド２００中のより戦略的な位置に容易に付加することができる。
【００２２】
裁量的な重量のより戦略的な位置の１つの事例的な位置は、図２において重量部材２２０の形態としても見出すことができる。この発明の現行の事例的な実施例において、裁量的な重量は、ゴルフクラブヘッド２００中の後方ソール部分に集約されて良いけれども、重量部材２２０は、この発明の範囲および内容から逸脱することなく、ゴルフクラブヘッド２００内の代替的な位置に位置づけられても良い。この発明の現行の事例的な実施例において、重量部材中に位置づけられる付加的な重量の量は、全般的には、約５グラムより大きく、より好ましくは約７グラムより大きく、最も好ましくは約９グラムより大きくて良く、これはこの発明の範囲および内容から逸脱しない。
【００２３】
種々の部品が組み立てられたセットにおいてどのように相互に作用するかを説明するために添付図面の図３が準議され、これはゴルフクラブヘッド３００の断面図を示す。この断面図は、ゴルフクラブヘッドの前後方向の中心に沿うものであり、打撃フェースの中心を通り抜ける。この断面図において、ゴルフクラブヘッド３００が依然として打撃フェース３０２、クラウン部分３０４、およびソール部分３０６を具備することが理解できる。クラウン部分３０４は、先に図２において分解して示したように、さらに、ベース層３１０および軽量カバー層３１２からなって良い。最初に、クラウン部分３０４の厚さは顕著に小さく、ゴルフクラブヘッド３００が所望の裁量的重量を実現できるようにする。クラウン部分３０４の全体厚さがどのくらい薄いかがわかると、軽量カバー層３１２がより薄くできることが容易に導き出される。クラウン部分３０４に加えてベース層３１０並びに軽量カバー層３１２の厚さを説明するために図４が準備され、この図は、図３に示される円形領域Ａの拡大断面図に焦点を当てている。
【００２４】
添付図面の図４は、図３において円形領域Ａにより示されるゴルフクラブヘッド３００のクラウン３０４の拡大断面図を示す。最初に、図４に示すベース層４１０は全般的にはゴルフクラブヘッドの前方クラウン部分に、溶接結合部４１６の近くで溶接により取り付けられて良いことに留意されたい。ベース層４１０およびクラウンの前方部分はともにチタンタイプの材料から製造されるので、それらは何の問題もなく一体に溶接できるであろう。溶接結合部４１６のちょうど後方において、ベース層４１０が段差４１８を有して良く、これによって軽量カバー層４１２がベース層４１０の上に配置される。この発明の事例的な１実施例において、軽量カバー層４１２は接着タイプの材料を用いてベース層４１０に取り付けられて良い。ただし、複合材料が用いられるならば、この発明の範囲および内容から逸脱することなく、軽量カバー層４１２をベース層４１０の上に直接にモールドできることに留意されたい。この発明の現行の事例の実施例において、ベース層４１０の厚さは、全般的には、この発明の範囲および内容から逸脱することなく、約０．５０ｍｍ未満、より好ましくは約０．４０ｍｍ未満、最も好ましくは約０．３５ｍｍ未満の厚さｄ１であって良い。この発明の現行の事例の実施例において示される軽量カバー層４１２は、これが軽量複合型の材料から製造されて良いという事実から、全般的には、約０．３０ｍｍ未満、より好ましくは約０．２５ｍｍ未満、最も好ましくは０．２０ｍｍ未満の厚さｄ２であって良い。
【００２５】
先の検討は、非必要な重量を減少させ裁量的な重量を生成するために種々の層の重量、厚さ、および密度に焦点を当てたけれども、この発明の核心は、ゴルフクラブヘッドのすべて重要な音響およびフィーリングを犠牲にすることなく、重量節約を実現すること可能にする点に基礎を置く。先の検討に基づくと、軽量カバー層用の材料は、密度が小さいという性質上、それが使用された場合、標準的なチタンタイプの材料と比べてゴルフクラブの重量を減少させるのを支援することができる。しかしながら、この発明では、軽量材料を使用して伝統的なチタン材料に置き換えるときに、ゴルフクラブヘッドの音響およびフィーリングが悪影響を受けることが認識されている。軽量材料を使用するときにゴルフクラブの音響およびフィーリングの劣化が起こるのは、ゴルフボールト小得する際に生じる音響振動が材料によって異なるからである。
【００２６】
この発明は、音響の潜在的な劣化を認識するだけでなく、実現される重量節約の量およびゴルフクラブヘッドの音響およびフィーリングの維持との間の適切なバランスを見出すことにより、この課題に対処するものである。この調和的なバランスを実現するために、この発明では、ベース層４１０のカットアウト４０８を通じて内部的に露出される軽量カバー層４１２の量に焦点を置くことが、所望の裁量的な重量を獲得しつつ、ゴルフクラブヘッドの音響的特徴およびフィーリングを維持するのを支援することを見出した。カットアウト４０８を通じて露出される軽量カバー層４１２の量は、全般的には、軽量カバー層４１２の綜合的な内部表面面積のパーセントとして表現され、この発明の適切な機能に極めて臨界的である。より具体的には、この発明の好ましい実施例において、軽量カバー層４１２の内部表面面積の約１５％から約６０％の間のみがカットアウト４０８から内部的に露出され、より好ましくは約２０％から約５０％の間のみが、最も好ましくは約２５％から約４５％が露出されるということができる。露出される内部表面面積の範囲はこの発明の適切な機能については臨界的であり、なぜならば、軽量カバー層４１２の多くがカットアウト４０８を通じて内部的に露出されすぎると、ゴルフクラブの音響およびフィーリングが悪影響を受けるからである。代替的には、軽量カバー層４１２のカットアウト４０８を通じた内部表面面積の露出が少なすぎると、どのような重量節約を実現するためにも十分でなくなる。
【００２７】
この極めて重要なパーセントを定量化するために、この発明は、「内部露出パーセント」と呼ぶ、極度に単純化した用語を準備し、これは、カットアウトを通じて露出される軽量カバー層４１２の内部表面面積を、軽量カバー層４１２の綜合的な内部表面面積で割ったものとして提示される。この「内部露出パーセント」は以下の式（１）に要約される。
内部露出パーセント＝（カットアウトを通じて露出した内部表面面積）／
（総合内部表面面積）                式（１）
先に説明したように、この発明に従うゴルフクラブヘッド用の軽量カバー層４１２の内部露出パーセントは最も好ましくは約１５％から約６０％の間であり、より好ましくは約２０％から約５０％の間であり、最も好ましくは約２５％から約４５％の間である。
【００２８】
添付図面の図５は、この発明の代替的な実施例に従うゴルフクラブヘッド５００の斜視図を示す。この発明のこの実施例において、ベース層５１０はゴルフクラブヘッド５００のクラウン部分５０４に限定されず、ゴルフクラブヘッド５００のソール部分５０６まで適用されて良く、これはこの発明の範囲および内容から逸脱しない。ゴルフクラブヘッド５００の種々の部品をより明瞭に説明するために、分解図をなす図６が準備される。
【００２９】
添付図面の図６は、図５に示される、この発明の代替的な実施例に従うゴルフクラブヘッド６００の分解斜視図を示す。この発明の当該分解図において、ゴルフクラブヘッド６００のソール６０６の部分が、クラウン６０４の部分の使用に加えて、ベース層６１０を含んで良いことがわかる。上記に加えて、図６は、軽量カバー層６１２の形状および寸法を示し、これは先の図５においてカットアウト５０８を示すために省略した。カバー層６１２は、当初、図２に示すような、実質的に平坦である必要はないけれども、この発明の範囲および内容から逸脱することなく、むしろ、ゴルフクラブヘッドの外部形状の上の表皮（スキン）をなして良い。ベース層６１０は、ゴルフクラブヘッドのより多くの部分をカバーするけれども、内部露出の軽量カバー層６１２のパーセントは、重量節約と、音響およびフィーリングの維持とのバランスを保持するようになされている。
【００３０】
添付図面の図７は、この発明のさらに他の代替的な実施例に従うゴルフクラブヘッド７００の他の斜視図を示す。より具体的には、この発明の当該代替的な実施例において、ベース層７１０は、ゴルフクラブヘッド７００の本体のトウおよびヒールの部分に使用されて良く、これによって、ゴルフクラブヘッド７００の中央部分は、この発明の範囲および内容から逸脱しないブリッジ部材７３０を形成できるようになっている。このブリッジ部材７３０は、この発明の事例的な実施例において示されるように、全般的には、ゴルフクラブヘッド７００内の構造的な堅固さをより大きくするのを支援し、これによってベース層７１０が、いくつかの例において、より薄くなるのを可能にする。
【００３１】
添付図面の図８は、図７に示すゴルフクラブヘッド８００の分解斜視図を示す。この分解斜視図では、軽量カバー層８１２がより明瞭に見えるようになるだけでなく、ゴルフクラブヘッド８００の後方部分に位置決めされる重量部材８２０も示す。この分解斜視図において、重量部材８２０はブリッジ部材８３０に沿って位置決めされていることがわかり、これにより、重量部材８２０が付加的な機構を必要とすることなくゴルフクラブヘッド８００に固着可能となる。最後に、この発明の当該代替的な実施例においても、当該ゴルフクラブヘッドは、カットアウト８０８を通じて内部的に露出される軽量カバー層８１２について、重量節約と音響およびフィーリングの維持との完全なバランスを維持するために先に検討したものと同一のパーセントを有するであろう。
【００３２】
添付図面の図９は、この発明のさらに他の代替的な実施例に従うゴルフクラブヘッドの斜視図を示す。この発明の当該代替的な実施例において、ゴルフクラブヘッド９００は、本体部分の全体を通じて複数のカットアウト９０８を組み込んでベース層９１０を形成して良い。このゴルフクラブヘッド９００は、全体的に、先行実施例で先に検討した軽量カバー層で被覆されて良いけれども、カバー層は内部構造を明瞭にするために示されていない。
【００３３】
添付図面の図１０は、この発明のさらに他の代替的な実施例に従うゴルフクラブヘッドの斜視図を示す。図１０は若干異なる内部構造を示し、この図において、ベース層１０１０は円形形状でないカットアウト１００８を用いて形成されて良い。実際、この発明の代替的な実施例において、先に検討した内容に従う内部露出パーセントを有する限りで、カットアウト１００８は、この発明の範囲および内容から逸脱することなく、円形、卵形、矩形、または任意の他の形状である任意の形状をとって良くい。
【００３４】
実施例の外に、または、とくにことわらない限りは、すべての数の範囲、量、値およびパーセント例えば明細書中の材料の量、慣性モーメント、重心位置、ロフト、ドラフト角度、種々の性能比、その他に関するそのようなものは、値、量、または範囲とともに明瞭に「約」の用語が表示されていなくてもそのような用語「約」があるものとして認識することができる。したがって、そうでないと示されない限り、明細書および特許請求の範囲の数字のパラメータは近似であり、これはこの発明により実現されることがのぞまれる所望の特性に応じて変化する。特許請求の範囲の均等理論の適応を排除する意図はないが、少なくとも、各数量のパラメータは報告された実行桁数の下で理解され、通常の丸め手法により把握すべきである。
【００３５】
この発明の広い範囲を示す数量の範囲およびパラメータは近似であるけれども、明細書の例に示された数量の値はできる限り正確に報告されている。ただし、いずれの数量の値も、各実験の測定に見いだされる標準偏差に起因する必然的な誤差を内在する。さらに、種々のことがらについて数量の範囲が示される場合には、指摘した値の範囲で、それらを組み合わせたものが利用できることを理解されたい。
【００３６】
以上は、この発明の例示の実施例に関するものであり、以下の特許請求の範囲で示される発明の範囲および程度を逸脱することなく修正を行えることはもちろんであることに留意されたい。
以下、ここで説明した技術的特徴を列挙する。
［技術的特徴１］
ゴルフクラブヘッドであって、
上記ゴルフクラブヘッドの前方部分に位置づけられる打撃フェースと、
上記打撃フェースの後方部分に取り付けられ、さらに、クラウン部分およびソール部分を有する本体部分とを有し、
上記クラウン部分および上記ソール部分の少なくとも一方は、ベース層および軽量カバー層を有し、
上記ベース層はさらに複数のカットアウトを有し、
上記軽量カバー層は約１５％より大きく約６０％までの内部露出パーセントを有することを特徴とするゴルフクラブヘッド。
［技術的特徴２］
上記軽量カバー層は約２０％から約５０％の間の内部露出パーセントを有する技術的特徴１記載のゴルフクラブヘッド。
［技術的特徴３］
上記軽量カバー層は約２５％から約４５％の間の内部露出パーセントを有する技術的特徴２記載のゴルフクラブヘッド。
［技術的特徴４］
上記軽量カバー層は、約２．７ｇ／ｃｍ３より小さな密度の材料から製造される技術的特徴１記載のゴルフクラブヘッド。
［技術的特徴５］
上記軽量カバー層は、約１．７５ｇ／ｃｍ３より小さな密度の材料から製造される技術的特徴４記載のゴルフクラブヘッド。
［技術的特徴６］
上記軽量カバー層は、約１．５０ｇ／ｃｍ３より小さな密度の材料から製造される技術的特徴５記載のゴルフクラブヘッド。
［技術的特徴７］
上記軽量カバー層は複合材料から製造される技術的特徴６記載のゴルフクラブヘッド。
［技術的特徴８］
上記ベース層は密度が約４．０ｇ／ｃｍ３および約４．７ｇ／ｃｍ３の間の材料から製造される技術的特徴７記載のゴルフクラブヘッド。
［技術的特徴９］
上記ベース層は密度が約４．１ｇ／ｃｍ３および約４．６ｇ／ｃｍ３の間の材料から製造される技術的特徴８記載のゴルフクラブヘッド。
［技術的特徴１０］
上記ベース層はチタン材料から製造される技術的特徴９記載のゴルフクラブヘッド。
［技術的特徴１１］
上記ベース層の最大厚さは約０．５０ｍｍ未満であり、上記軽量カバー層の最大厚さは約０．３０ｍｍ未満である技術的特徴１０記載のゴルフクラブヘッド。
［技術的特徴１２］
上記ベース層の最大厚さは約０．４０ｍｍ未満であり、上記軽量カバー層の最大厚さは約０．２５ｍｍ未満である技術的特徴１１記載のゴルフクラブヘッド。
［技術的特徴１３］
上記ベース層の最大厚さは約０．３５ｍｍ未満であり、上記軽量カバー層の最大厚さは約０．２０ｍｍ未満である技術的特徴１２記載のゴルフクラブヘッド。
［技術的特徴１４］
ゴルフクラブヘッドであって、
上記ゴルフクラブヘッドの前方部分に位置づけられる打撃フェースと、
上記打撃フェースの後方部分に取り付けられ、さらに、クラウン部分およびソール部分を有する本体部分とを有し、
上記クラウン部分および上記ソール部分の少なくとも一方は、ベース層および軽量カバー層を有し、
上記ベース層はさらに複数のカットアウトを有し、
上記軽量カバー層は約１５％より大きく約６０％までの内部露出パーセントを有し、
上記ベース層の最大厚さは約０．５０ｍｍ未満であり、上記軽量カバー層の最大厚さは約０．３０ｍｍ未満であることを特徴とするゴルフクラブヘッド。
［技術的特徴１５］
上記複数のカットアウトは実質的に円形の形状をしている技術的特徴１４記載のゴルフクラブヘッド。
［技術的特徴１６］
上記クラウン部分のみが、さらに、上記ベース層および軽量カバー層を有する技術的特徴１４記載のゴルフクラブヘッド。
［技術的特徴１７］
上記クラウン部分および上記ソール部分の双方は、さらに、ベース層および上記軽量カバー層を有する技術的特徴１４記載のゴルフクラブヘッド。
［技術的特徴１８］
上記本体部分は、さらに、上記打撃フェース部分の後方の中央部分に取り付けられるブリッジ部材を有する技術的特徴１４記載のゴルフクラブヘッド。
［技術的特徴１９］
上記ベース層は密度が約４．１ｇ／ｃｍ３および約４．６ｇ／ｃｍ３の間の材料から製造される技術的特徴１４記載のゴルフクラブヘッド。
［技術的特徴２０］
上記軽量カバー層は、約１．７０ｇ／ｃｍ３より小さな密度の材料から製造される技術的特徴１９記載のゴルフクラブヘッド。
【符号の説明】
【００３７】
１００    ゴルフクラブヘッド
１０２    打撃フェース
１０４    クラウン部分
１０６    ソール部分
２００    ゴルフクラブヘッド
２０２    打撃フェース
２０４    クラウン部分
２０６    ソール部分
２０８    カットアウト
２１０    ベース層
２１２    軽量カバー層
２２０    重量部材
３００    ゴルフクラブヘッド
３０２    打撃フェース
３０４    クラウン部分
３０６    ソール部分
３１０    ベース層
３１２    軽量カバー層
４０８    カットアウト
４１０    ベース層
４１２    軽量カバー層
４１６    溶接結合部
４１８    段差
【図１】
0006434953.tif 000002
【図２】
0006434953.tif 000003
【図３】
0006434953.tif 000004
【図４】
0006434953.tif 000005
【図５】
0006434953.tif 000006
【図６】
0006434953.tif 000007
【図７】
0006434953.tif 000008
【図８】
0006434953.tif 000009
【図９】
0006434953.tif 000010
【図１０】
0006434953.tif 000011